(57)【要約】【課題】  ユーザとその位置に応じてＡＶ機器を制御する。【解決手段】  携帯端末１０には、在室している部屋を識別する位置検出部１２と指紋センサーなどの個人認証部１３が設けられている。各部屋には、ＡＶ機器管理マネージャ１により管理されるＡＶ機器３〜５が設置されている。前記携帯端末１０からユーザの入退室情報がＡＶ機器管理マネージャ１に無線で通知され、ＡＶ機器管理マネージャ１は、ユーザの入退室に応じたＡＶ機器の電源オン／オフ制御、再生していた曲の再生停止制御、ユーザが部屋を移動したときに前の部屋で再生していた曲の続きを移動後の部屋で再生する制御などを行う。【選択図】  図１
2005175660.tif 000002
【特許請求の範囲】
【請求項１】
ＡＶ機器と、前記ＡＶ機器を管理するＡＶ機器管理装置と、携帯端末とを有するＡＶシステムであって、
前記携帯端末は、個人認証部と位置検出部を備え、
前記ＡＶ機器管理装置は、各ユーザの個人情報と位置情報を記憶する手段を有し、前記携帯端末から通知される個人認証情報及び位置検出情報に基づいて、ユーザの入室を検出したときに、その部屋に設置されているＡＶ機器の電源をオン状態とし、ユーザの退室を検出したときに、その部屋に設置されているＡＶ機器をスタンバイ状態とするように制御することを特徴とするＡＶシステム。
【請求項２】
ＡＶ機器と、前記ＡＶ機器を管理するＡＶ機器管理装置と、携帯端末とを有するＡＶシステムであって、
前記携帯端末は、個人認証部と位置検出部を備え、
前記ＡＶ機器管理装置は、各ユーザの個人情報と位置情報を記憶する手段を有し、前記携帯端末から通知される個人認証情報及び位置検出情報に基づいて、ユーザの入室を検出したときに、その部屋に設置されているＡＶ機器の電源をオン状態としてそのユーザに対応する楽曲を再生させ、ユーザの退室を検出した場合に、その部屋に設置されているＡＶ機器が楽曲を再生中であるときには、その楽曲の再生を一時停止状態とし、該一時停止状態が所定時間継続したときに、そのＡＶ機器をスタンバイ状態とすることを特徴とするＡＶシステム。
【請求項３】
前記ＡＶ機器管理装置は、前記ＡＶ機器が一時停止状態であるときに、その部屋から退室したユーザが再度入室したことを検出したときに、該再生が一時停止中であった楽曲の再生を再開させることを特徴とする請求項２記載のＡＶシステム。
【請求項４】
前記ＡＶ機器管理装置は、前記ユーザの退室を検出して楽曲の再生を一時停止状態とするときに、フェードアウト処理を行って、そのＡＶ機器をスタンバイ状態とすることを特徴とする請求項２記載のＡＶシステム。
【請求項５】
前記ＡＶ機器管理装置は、前記ユーザの入室を検出してそのユーザに対応する楽曲の再生を開始するときに、フェードイン再生を行うことを特徴とする請求項２記載のＡＶシステム。
【請求項６】
ＡＶ機器と、前記ＡＶ機器を管理するＡＶ機器管理装置と、携帯端末を有するシステムであって、
前記ＡＶ機器は、前記ＡＶ機器管理装置から供給される楽曲データを再生する手段を有するものであり、
前記携帯端末は、個人認証部と位置検出部を備え、
前記ＡＶ機器管理装置は、複数の楽曲データを記憶する手段と、各ユーザの個人情報と位置情報を記憶する手段とを有し、前記携帯端末から通知される個人認証情報及び位置検出情報に基づいて、ユーザが退室したことを検出すると、再生中の楽曲のフェードアウト処理を行って再生を停止し、そのユーザが入室したことを検出すると、その部屋のＡＶ機器を用いて、前の部屋での再生状態を継続して、フェードイン処理を行いその曲の再生を再開することを特徴とするＡＶシステム。
【請求項７】
前記フェードインにおける通常再生レベルに復帰する時点は、前記フェードアウトにおける減衰開始時点よりも遡る時点に設定されていることを特徴とする請求項６記載のＡＶシステム。
【請求項８】
前記フェードイン及び前記フェードアウトのパラメータは、聴感上自然なつながりを保つことができるように、ユーザの移動速度や楽曲のジャンルなどに応じて可変とされていることを特徴とする請求項７記載のＡＶシステム。
【請求項９】
前記楽曲が同時再生数が制限された楽曲であるときには、前記ユーザが前に在室していた部屋から前記ユーザが移動した部屋に再生する権利を委譲するように制御することを特徴とする請求項６記載のＡＶシステム。
【請求項１０】
前記携帯端末は、ユーザの認証に関する情報を取得する指紋センサーを有する個人認証部と、前記ＡＶ機器が設置された部屋に設けられた部屋を識別する信号を送信する発信機からの信号を受信する位置検出部と、前記個人認証部で取得した個人認証情報と前記位置検出部で取得した位置検出情報とを前記ＡＶ機器管理装置に送信する手段とを有することを特徴とする請求項１〜９のいずれかに記載のＡＶシステム。
【請求項１１】
前記携帯端末は、ユーザの個人ＩＤを設定する手段と、ユーザがＡＶ機器が設置された部屋に入室又は退室したときに操作される操作ボタンと、前記操作ボタンが操作されたことを示す情報と前記個人ＩＤとを前記ＡＶ機器に送信する手段を有するものであり、前記個人認証情報と前記位置検出情報は、前記ＡＶ機器を介して前記ＡＶ機器管理装置に通知されることを特徴とする請求項１〜９のいずれかに記載のＡＶシステム。
【請求項１２】
ＡＶ機器と、各ユーザの個人情報と位置情報を記憶する手段を有し、ユーザの入退室に応じて前記ＡＶ機器を制御するＡＶ機器管理装置とを有するＡＶシステムに用いられる携帯端末であって、
前記ＡＶ機器が設置されている部屋に設けられ、その部屋の識別信号を送信する赤外線発信機からの信号を受信する手段と、指紋センサーと、該指紋センサーにより取得したユーザの認証に関する情報と前記受信する手段により取得した部屋に関する情報とを前記ＡＶ機器管理装置に送信する手段とを備えていることを特徴とする携帯端末。
【発明の詳細な説明】
【技術分野】
【０００１】
本発明は、オーディオ再生装置などのＡＶ機器、該ＡＶ機器にオーディオデータを配信するサーバ装置、及び、それらを制御する携帯端末を有するＡＶシステム及び該ＡＶシステム用の携帯端末に関する。
【背景技術】
【０００２】
テレビジョン受像機、ＣＤプレイヤ、ＤＶＤプレイヤ、オーディオ再生装置などの各種ＡＶ（Audio Visual）機器は、通常、リモートコントロール装置を用いて制御できるようになされている。
このようなＡＶ機器に個々のユーザに対応した動作を行わせるために、個人を判別する機能を持たせたリモートコントロール装置が提案されている（特許文献１）。
この提案されているリモートコントロール装置によれば、指紋認証器などを用いてユーザを判別することができ、判別したユーザに応じた制御を行なうことができる。
【０００３】
また、曲データを格納したサーバ装置と、該サーバ装置にＬＡＮや無線ＬＡＮなどのネットワークを介して接続され、サーバ装置から配信される曲データを再生するオーディオ再生装置（クライアント装置）とからなるオーディオ配信システムが知られている。
このようなオーディオ配信システムによれば、建物内の複数の部屋にクライアント装置を設け、サーバ装置から各クライアント装置にそれぞれストリーミング配信される楽曲を各部屋のクライアント装置を用いて聴取することができる。
このようなオーディオ配信システムにおいて、ユーザが部屋を移動した場合には、何の操作も無く、前の部屋で聴いていた音楽を連続して楽しむことはできなかった。そのためには、各部屋で同時に同じ音楽を流す手段しかなかった。
【０００４】
そこで、空白期間は生じても、前の部屋の音楽を連続して楽しむ機能（リコール機能）が開発されている。
このリコール機能について図１８及び図１９を参照して説明する。図１８はオーディオ配信システムの構成例を示すブロック図、図１９はサーバ装置に記憶されている状態管理テーブルの一例を示す図である。
図１８において、５１は複数の楽曲データを記憶しているサーバ装置、５２はネットワーク、５３〜５５は前記ネットワーク５２を介して前記サーバ装置５１に接続された第１〜第３のクライアント装置（クライアント１，２，３）である。ここで、図示するように、各クライアント装置は、それぞれ異なる部屋、ROOM１〜ROOM３に設置されている。また、５６は、前記クライアント装置を制御するためのリモートコントロール装置（以下、「リモコン」という。）である。図示するように、リモコン５６には赤外線（IR）送信部５７が設けられており、各クライアント装置５３〜５５に内蔵されている赤外線（IR）受信部に対して制御信号を送信することができるようになされている。ユーザは前記リモコン５６を操作してクライアント装置５３〜５５を制御することにより、前記サーバ装置５１から所望の楽曲の曲データを配信させ、再生させることができる。
【０００５】
前記サーバ装置５１には、各クライアント装置５３〜５５の状態を記憶している管理テーブルが設けられている。各クライアント装置５３〜５５は、それぞれの状態に変更があったとき、又は所定の一定時間毎に、その状態情報を前記ネットワーク５２を介して前記サーバ装置５１に通知するようになされており、これにより前記管理テーブルの内容は常に最新の状態に保たれている。
図１９は、この管理テーブルの一例を示す図である。
この図に示す管理テーブルの例は、各クライアントが次の状態にあることを示している。すなわち、クライアント１は、アルバムＡの３曲目を再生している。現在は1:30（１分３０秒）の地点を再生中であり、この値は再生が続く限り、１秒ごとに＋１される。また、再生のリピートモードとランダムモードは共にオフに設定されている。なお、このまま操作を行わずにいると、アルバムＡの４曲目、５曲目と順次再生が行われ、アルバムＡの最後の曲を最後まで再生してから、停止状態へ移行することとなる。
クライアント２は現在停止中である。その前はアルバムＢの２曲目を2:10の地点まで再生してから再生停止したことがサーバに保存されている。リピートモードは「Full Repeat」に、ランダムモードは「オフ」に設定されている。
クライアント３は現在停止中で、その前に再生していた曲の情報は保存されていない。購入後まだ一度も再生を行っていないクライアントは、この状態にある。
【０００６】
ここで、今までROOM２に設置されているクライアント２で音楽を聴いていたユーザが、クライアント３の置かれているROOM３へ移動する場合を考える。
すなわち、クライアント２で「アルバムＢの２曲目」を再生していたユーザが、クライアント３の置かれているROOM３に移動することにしたとする。まずユーザはクライアント２の再生を停止する。そしておそらくは、クライアント２の電源を切る。このときの再生地点は「2:10」であったため、サーバ装置５１はクライアント２が「アルバムＢの２曲目」を「2:10」の地点まで再生してから停止したことを、図１９のテーブルに示すように保存しておく。
その後ユーザはクライアント３が置かれているROOM３まで移動し、クライアント３を操作して、「クライアント２のリコール」という操作を行う。具体的には「クライアント２のリコール」というリモコン５６のボタンを押すか、リモコンのメニューから「リコール」「クライアント２」を順に選択する。
クライアント３でそのような操作が行われたことは直ちにサーバ装置５１に伝えられる。サーバ装置５１はクライアント２が直前まで「アルバムＢの２曲目」を「2:10」の地点まで再生していたことを知っているため、クライアント３に対して「アルバムＢの２曲目」を「2:10」の地点から再生するように指示する。また、クライアント２のときと同様に、リピートモードを「Full Repeat」に、ランダムモードを「オフ」に設定するように指示する。
このようにして、クライアント３にクライアント２の状態が引き継がれることとなる。
【０００７】
なお、ユーザがクライアント２の再生を停止せずに移動した場合は、ユーザがクライアント３でリコール操作を行った時のクライアント２の状態が引き継がれる。例えば、クライアント２が「アルバムＢの２曲目」の「2:10」の地点を再生している時に、ユーザがクライアント２を停止することなく移動を開始したとする。その30秒後にユーザはクライアント３の置かれているROOM３へ到着してクライアント３でクライアント２のリコール操作を行ったとすると、その時クライアント２は「アルバムＢの２曲目」の「2:40」の地点を再生しているため、クライアント３も「アルバムＢの２曲目」を「2:40」の地点から再生開始することとなる。
また、図１９のテーブルにおけるクライアント３のような、停止状態で以前の再生情報を持っていないクライアントをリコールすることはできない。
【０００８】
なお、デジタルコンテンツなどの視聴環境をユーザの移動に追随させることに関する特許文献としては、次の特許文献２及び特許文献３がある。
【特許文献１】特開２００１−１２８２５３号公報
【特許文献２】特開２００２−３２８９４９号公報
【特許文献３】特開平１１−１４６４２６号公報
【発明の開示】
【発明が解決しようとする課題】
【０００９】
上述のように、個人を判別する機能を有するリモートコントロール装置によれば、個々のユーザに対応した機器制御を実現することができるが、ユーザが誰であるかを判別することができるだけで、ユーザがどの部屋にいるのかといったユーザの位置情報までは管理することができない。
また、機器の制御は手動で行う必要があり、例えば、電源の消し忘れなどが起こる可能性がある。
さらに、曲の再生途中で一時的に退室するときには、ユーザは意識的に一時停止か停止の操作をする必要があり、それらの操作をし忘れた場合、次にその部屋に戻ってきたときには、曲の再生が進んでしまっており、聴いていた場所まで巻き戻す必要がある。
さらにまた、ユーザが部屋を移動した場合に、前の部屋で聴いていた曲を連続して楽しむためには、ユーザが在室しているいないに関わらず、各部屋で同時に同じ音楽を流し続けなければならなかった。ただし、この場合でも、移動中の時間分、音楽の空白期間ができる。
さらにまた、前述したリコール機能を用いる場合であっても、ユーザは、部屋を移動したときに、移動先の部屋のオーディオ装置を操作して同じ曲を呼び出す操作をしなければならなかった。
さらにまた、同時再生数の制限がなされた楽曲については、部屋を移動することで聴けなくなることがあった。
【００１０】
そこで本発明は、ユーザの位置に応じて、機器の電源の制御や曲の再生の制御を自動的に行うことができるＡＶシステム及び該ＡＶシステム用の携帯端末を提供することを目的としている。
また、ユーザが部屋を移動した場合、又は同じ部屋に再度入室した場合に、何らの操作をすることなく、直前に楽しんでいた音楽の続きを楽しむことのできるＡＶシステムを提供することを目的としている。
さらに、再生していた楽曲が同時再生数が制限されたものである場合であっても、ユーザが部屋を移動したときに、その楽曲を楽しむことができるＡＶシステムを提供することを目的としている。
【課題を解決するための手段】
【００１１】
上記目的を達成するために、本発明のＡＶシステムは、ＡＶ機器と、前記ＡＶ機器を管理するＡＶ機器管理装置と、携帯端末とを有するＡＶシステムであって、前記携帯端末は、個人認証部と位置検出部を備え、前記ＡＶ機器管理装置は、各ユーザの個人情報と位置情報を記憶する手段を有し、前記携帯端末から通知される個人認証情報及び位置検出情報に基づいて、ユーザの入室を検出したときに、その部屋に設置されているＡＶ機器の電源をオン状態とし、ユーザの退室を検出したときに、その部屋に設置されているＡＶ機器をスタンバイ状態とするように制御するようになされているものである。
また、本発明の他のＡＶシステムは、ＡＶ機器と、前記ＡＶ機器を管理するＡＶ機器管理装置と、携帯端末とを有するＡＶシステムであって、前記携帯端末は、個人認証部と位置検出部を備え、前記ＡＶ機器管理装置は、各ユーザの個人情報と位置情報を記憶する手段を有し、前記携帯端末から通知される個人認証情報及び位置検出情報に基づいて、ユーザの入室を検出したときに、その部屋に設置されているＡＶ機器の電源をオン状態としてそのユーザに対応する楽曲を再生させ、ユーザの退室を検出した場合に、その部屋に設置されているＡＶ機器が楽曲を再生中であるときには、その楽曲の再生を一時停止状態とし、該一時停止状態が所定時間継続したときに、そのＡＶ機器をスタンバイ状態とするようになされているものである。
さらに、前記ＡＶ機器管理装置は、前記ＡＶ機器が一時停止状態であるときに、その部屋から退室したユーザが再度入室したことを検出したときに、該再生が一時停止中であった楽曲の再生を再開させるもの、前記ユーザの退室を検出して楽曲の再生を一時停止状態とするときに、フェードアウト処理を行って、そのＡＶ機器をスタンバイ状態とするもの、あるいはまた、前記ユーザの入室を検出してそのユーザに対応する楽曲の再生を開始するときに、フェードイン再生を行うように制御するものである。
【００１２】
さらにまた、本発明のさらに他のＡＶシステムは、ＡＶ機器と、前記ＡＶ機器を管理するＡＶ機器管理装置と、携帯端末を有するシステムであって、前記ＡＶ機器は、前記ＡＶ機器管理装置から供給される楽曲データを再生する手段を有するものであり、前記携帯端末は、個人認証部と位置検出部を備え、前記ＡＶ機器管理装置は、複数の楽曲データを記憶する手段と、各ユーザの個人情報と位置情報を記憶する手段とを有し、前記携帯端末から通知される個人認証情報及び位置検出情報に基づいて、ユーザが退室したことを検出すると、再生中の楽曲のフェードアウト処理を行って再生を停止し、そのユーザが入室したことを検出すると、その部屋のＡＶ機器を用いて、前の部屋での再生状態を継続して、フェードイン処理を行いその曲の再生を再開するようになされているものである。
さらにまた、前記フェードインにおける通常再生レベルに復帰する時点は、前記フェードアウトにおける減衰開始時点よりも遡る時点に設定されているもの、前記フェードイン及び前記フェードアウトのパラメータは、聴感上自然なつながりを保つことができるように、ユーザの移動速度や楽曲のジャンルなどに応じて可変とされているもの、あるいはまた、前記楽曲が同時再生数が制限された楽曲であるときには、前記ユーザが前に在室していた部屋から前記ユーザが移動した部屋に再生する権利を委譲するように制御するものである。
さらにまた、前記携帯端末は、ユーザの認証に関する情報を取得する指紋センサーを有する個人認証部と、前記ＡＶ機器が設置された部屋に設けられた部屋を識別する信号を送信する発信機からの信号を受信する位置検出部と、前記個人認証部で取得した個人認証情報と前記位置検出部で取得した位置検出情報とを前記ＡＶ機器管理装置に送信する手段とを有するものである。
あるいは、記携帯端末は、ユーザの個人ＩＤを設定する手段と、ユーザがＡＶ機器が設置された部屋に入室又は退室したときに操作される操作ボタンと、前記操作ボタンが操作されたことを示す情報と前記個人ＩＤとを前記ＡＶ機器に送信する手段を有するものであり、前記個人認証情報と前記位置検出情報は、前記ＡＶ機器を介して前記ＡＶ機器管理装置に通知されるようになされているものである。
【００１３】
さらにまた、本発明の携帯端末は、ＡＶ機器と、各ユーザの個人情報と位置情報を記憶する手段を有し、ユーザの入退室に応じて前記ＡＶ機器を制御するＡＶ機器管理装置とを有するＡＶシステムに用いられる携帯端末であって、前記ＡＶ機器が設置されている部屋に設けられ、その部屋の識別信号を送信する赤外線発信機からの信号を受信する手段と、指紋センサーと、該指紋センサーにより取得したユーザの認証に関する情報と前記受信する手段により取得した部屋に関する情報とを前記ＡＶ機器管理装置に送信する手段とを備えているものである。
【発明の効果】
【００１４】
本発明のＡＶシステム及びＡＶシステム用の携帯端末によれば、該携帯端末でユーザの個人認証と位置検出を行うことができ、ユーザがＡＶ機器の置かれている部屋に入室すると、自動的にそのＡＶ機器の電源をオンにすることができ、ユーザがその部屋から退室すると自動的にそのＡＶ機器をスタンバイ状態とすることができる。したがって、ユーザはＡＶ機器の電源をオンとする操作を行う必要がなく、また、ＡＶ機器がパワーオン状態のまま放置されることもない。
また、ユーザが曲を再生中に退室した場合は、曲の再生を自動的に一時停止し、所定時間内にそのユーザが再度入室すると、自動的に曲の続きを再生することができる。一時停止状態が所定時間以上続くと、自動的にスタンバイ状態とされる。したがって、音が出たままの状態が放置されることがない。また、ユーザが再度入室したときに、退室したときの状態に戻すために、何らかの操作をする必要がない。
さらに、ユーザが曲を再生中に部屋を移動した場合には、自動的にあるいは最小限の操作をするだけで、前の部屋で再生していた曲の続きを移動先の部屋のＡＶ機器で再生することができる。このときに、部屋間で継続されるのは、再生している曲だけでなく、再生モード設定（ランダム再生、リピート再生の態様など）も引き継がれる。したがって、ユーザは、何らの操作をすることなくあるいは非常に簡単な操作をするだけで、前にいた部屋と同じ状態とすることができる。
さらにまた、ユーザが退室したときは曲をフェードアウト処理して一時停止状態に移行し、入室したときはフェードインしながら音を立ち上げるようにしているため、スムーズな消音及び発音をすることができる。
さらにまた、ユーザが部屋を移動したときに、移動先の部屋におけるフェードインにおける通常再生レベルに復帰する時点は、前の部屋におけるフェードアウトにおける減衰開始時点よりも遡る時点とされているので、空白無く、自然に音楽をつなげることができる。
さらにまた、ＡＶ機器間で再生権利の委譲を自動的に行うことができるので、同時再生数が制限された楽曲の再生も格別の操作をすることなく行うことができる。
【発明を実施するための最良の形態】
【００１５】
［実施例１］
図１は、本発明のＡＶシステムの第１の実施例の全体構成を示すブロック図である。この図において、１はＡＶ機器を制御するＡＶ機器管理マネージャ、２は前記ＡＶ機器管理マネージャと該ＡＶ機器管理マネージャにより管理される複数のＡＶ機器とを接続するＬＡＮや無線ＬＡＮなどのネットワーク、３，４，５は前記ネットワーク２に接続され前記ＡＶ機器管理マネージャにより管理されるＡＶ機器である。ここで、前記ＡＶ機器３〜５は、それぞれ対応する部屋（ROOM 1，ROOM 2，ROOM 3）内に設置されている。このＡＶ機器とてしては、テレビジョン受像機、ＣＤプレイヤ、ＤＶＤプレイヤ、オーディオ再生装置、あるいは、前述したオーディオ配信システムにおけるクライアント装置など各種のものであってよいが、いずれも、楽曲などのオーディオ信号を再生する機能を有しているものとする。
また、６，７，８は、ROOM 1，ROOM 2，ROOM 3の各部屋内にそれぞれ設けられ、それぞれの部屋に対応する部屋識別コードにより変調された赤外線信号を発信する赤外線（ＩＲ）発信機である。
１０は、前記ＡＶ機器を制御するための携帯端末（モバイルコントローラ）であり、図示するように、前記ＩＲ発信機６〜８からの各部屋を識別する部屋識別コードを含む赤外線信号を受信する位置検出部１２、その携帯端末を操作しているユーザを識別する個人認証部１３、及び、前記位置検出部１２や前記個人認証部１３による検出結果などを前記ＡＶ機器管理マネージャ１に送信する無線通信部などを有している。
【００１６】
図２は、前記携帯端末１０の構成を示すブロック図である。この図において、１１はこの携帯端末を制御する中央制御部，１２はこの携帯端末の位置を検出する位置検出部であり、例えば、前記ＩＲ発信機６〜８から送信される部屋識別コードを受信する赤外線受信部である。また、１３はこの携帯端末を操作しているユーザが誰であるかを検出する個人認証部であり、例えば、指紋センサーである。１４は前記中央制御部１１の制御プログラムや検出されたユーザの個人情報などの各種データの記憶領域や作業領域となるメモリ、１５は表示部、１６は入力部、１７は起動音を発生する音楽再生部、１８は前記ＡＶ機器管理マネージャ１に個人認証データや位置検出出力を送信するとともに、前記ＡＶ機器管理マネージャ１からの制御信号などを受信する無線通信部、１９は前記ＡＶ機器３〜５に対し各種制御信号を送信するための赤外線（ＩＲ）送信部、２０は各構成要素間のデータ伝送を行うバスである。
本発明のシステムは、例えば家庭で使用されるものであり、前記携帯端末１０は、複数台備えられる。そして、前述のように個人認証部１３を有しており各機器で個人認証が可能なため、特にどの携帯端末が誰のものと決められていない。後述するように、ユーザが携帯端末１０を手に持ち、個人認証部１３（指紋センサー）により個人認証を行うと、そのユーザがあらかじめ設定しておいたスキン（アプリケーションソフトの外見に関する情報を格納したファイル）が選択され、そのユーザ専用のＧＵＩ（グラフィカルユーザインターフェース）が表示部１５に表示される。また、そのユーザが予め登録しておいた起動音が前記音楽再生部１７から発せられる。
【００１７】
図３は、前記ＡＶ機器管理マネージャ１の要部構成を示すブロック図である。この図において、２１はこのＡＶ機器管理マネージャ全体の制御を行う中央制御部、２２はメモリ、２３は前記ＡＶ機器３，４，５と接続するためのネットワークインターフェース部、２４は前記携帯端末１０と接続するための無線通信部、２５は前記各構成要素間のデータ伝送を行うためのバスである。
ここで、前記メモリ２２には、前記中央制御部２１のための制御プログラムや各種データのほかに、（ａ）登録されているユーザに関する情報を記録した管理テーブル（個人情報）、（ｂ）ユーザとＡＶ機器の状態を記録する管理テーブル（ＡＶ機器情報）、及び、（ｃ）ユーザが各部屋に入退室したときの処理を記録する管理テーブル（ＡＶ機器制御・入室／退室時処理）からなる管理テーブルが格納されている。
【００１８】
図４に各管理テーブルの例を示す。図の（ａ）に示すように、管理テーブル（個人情報）は、各ユーザごとに、その個人認証用データ、楽曲の好み、選択されたＧＵＩの番号、及び、選択された起動音の番号が記憶されている。ユーザが最初に携帯端末１０を使用する初期登録時などに、そのユーザの個人認証用データ、楽曲の好み、好みのＧＵＩ、及び、好みの起動音を登録することができる。また、ユーザは、いつでも、その登録内容を変更することができる。
また、（ｂ）に示すように、管理テーブル（ＡＶ機器情報）は、各ユーザの位置と各部屋のＡＶ機器の状態を記録している。前述のように、位置検出部１２により各携帯端末１０はその存在位置（どの部屋内に位置しているのか、どの部屋にも属していないのかといった情報）を検出して、前記ＡＶ機器管理マネージャ１に無線で通知しており、また、各ＡＶ機器はその動作状態をネットワークを通じて前記ＡＶ機器管理マネージャ１に通知している。この管理テーブル（ＡＶ機器情報）は、個人認証済みの携帯端末を持ったユーザが入室・退室を行ったときなど状態の変化があったときに、随時更新される。なお、ここでは、各部屋（ROOM１〜３）に１台ずつＡＶ機器が設置されているものとする。
さらに、（ｃ）管理テーブル（ＡＶ機器制御・入室／退室時処理）は、各ユーザ及び各部屋ごとに、ユーザがその部屋に入室したとき及び退室したときに実行されるべきＡＶ機器の処理を格納したテーブルである。このテーブルは、初期登録時に設定されるが、任意のタイミングで変更することができる。
【００１９】
このように構成されたシステムにおいて、ユーザは、携帯端末１０を持って、ＡＶ機器３〜５が設置されている部屋（ROOM１〜３）に入室し、携帯端末１０を操作することにより、その部屋に設置されているＡＶ機器から所望の楽曲を再生させることができる。このとき、前述のように、携帯端末１０には位置検出部１２、個人認証部１３及び無線通信部が設けられているため、前記ＡＶ機器管理マネージャ１は、どのユーザがどの部屋に入室したかといった情報を知ることができ、対応するＡＶ機器の電源投入などの処理、そのユーザに対応する楽曲の再生、そのユーザに応じた携帯端末の環境設定などを自動的に行うことができる。
【００２０】
図５は、ユーザが任意の前記携帯端末１０を手に取り、その操作を開始したときに、まず実行される個人認証処理の流れを示すフローチャートである。
ユーザは携帯端末１０を手に持ち、その指紋センサー部１３に指をあてて、指紋を読み取らせると、指紋データが取得され（ステップＳ１）、該指紋データに基づいて認証データ（特徴データ）が生成されて前記ＡＶ機器管理マネージャ１に送信される（Ｓ２）。
前記ＡＶ機器管理マネージャ１は、この認証データを受信し（Ｓ１１）、前記管理テーブル（個人情報）（図４（ａ））に記録されている個人認証データと照合する（Ｓ１２）。その結果、一致するものがあったとき（Ｓ１３の結果がＹＥＳ）には、「認証結果」（認証ＯＫ）、そのユーザの「個人ＩＤ」、そのユーザが設定したＧＵＩの番号である「個人用ＧＵＩ」及び登録した起動音の番号を示す「起動音」の各情報を前記携帯端末１０に無線で送信する（Ｓ１４）。一方、前記管理データ（個人情報）中に一致する認証データがなかったとき（Ｓ１３がＮＯ）は、認証ＮＧを示す「認証結果」情報を送信する（Ｓ１５）。
携帯端末１０は、この認証結果情報を受信し（Ｓ３）、認証結果がＯＫであるとき（Ｓ４がＹＥＳ）は、受信した「個人用ＧＵＩ」及び「起動音」を用いて携帯端末１０の操作プログラムを起動するとともに、受信した「個人ＩＤ」のユーザが使用していることを記憶する。
また、認証結果がＮＧであるとき（Ｓ４がＮＯ）は、携帯端末１０に予め記憶されているゲスト用のＧＵＩを用いて起動し、使用しているユーザがゲストであることを記憶する（Ｓ６）。その後、ユーザは、再認証の処理や新規登録を行うことができる（Ｓ７）。
このように、携帯端末１０を使用しているユーザを認識して、そのユーザに対応する設定情報を用いて動作することができる。
【００２１】
次に、個人認証を済ませたユーザが携帯端末１０を持って入室したときの処理（入室シーケンス）について、図６を参照して説明する。
ユーザがＩＲ発信機が設置された部屋に入室すると、その携帯端末１０に内蔵されている位置検出部１２でその部屋に設置されているＩＲ発信機６〜８からの赤外線信号を受信することによりどの部屋に入室したのかが検出され（Ｓ２１）、「入室」を示す情報、その携帯端末の現在のユーザを示す「個人ＩＤ」、前記位置検出部１２で検出した部屋を示す「部屋ＩＤ」の各情報が前記ＡＶ機器管理マネージャ１に送信される（Ｓ２２）。
ＡＶ機器管理マネージャ１では、前記「入室」、「個人ＩＤ」及び「部屋ＩＤ」からなる誰がどの部屋に入室したのかを示す情報を受信すると（Ｓ３１）、前記管理テーブル（ＡＶ機器制御・入室／退室時処理）（図４（ｃ））のユーザのその部屋に入室したときの処理を参照し、入室時の処理が再生開始（ユーザが入室したときに、そのユーザの好みの曲を自動的に再生する）であるか否かを判定する（Ｓ３２）。その結果、再生開始ではないときは、ステップＳ３９に進み、そのユーザがその部屋に入室したことを前記管理テーブル（ＡＶ機器情報）に反映させる。
【００２２】
一方、入室時の処理が再生開始であるときは、その部屋のＡＶ機器の状態がスタンバイ状態であるか否かを前記管理テーブル（ＡＶ機器情報）を参照して判定する（Ｓ３３）。そして、スタンバイ状態のときはそのＡＶ機器の電源をオンとして（Ｓ３４）、スタンバイ状態でないとき（すなわち、オン状態のとき）はそのままステップＳ３５に進む。
ステップＳ３５において、その部屋のＡＶ機器は停止中であるのか否かを判定し、停止中であるときは、前記管理テーブル（ＡＶ機器情報）に記憶されているそのユーザの好みの曲を自動再生して（Ｓ３６）、ステップＳ３９に進む。停止中でないとき（Ｓ３５がＮＯ）は、その部屋のＡＶ機器が入室したユーザが退出して自動的に一時停止状態とされた一時停止中であるか否かを判定する（Ｓ３７）。その判定結果がＮＯのとき（再生中又はユーザの操作による一時停止状態など）は、そのままステップＳ３９に進み、入室情報を管理テーブル（ＡＶ機器情報）に反映する。一方、ユーザが退出することによる一時停止状態であるときは、その一時停止中であった曲をフェードイン再生して（Ｓ３８）、ステップＳ３９に進み、入室情報を管理テーブル（ＡＶ機器情報）に反映する。
【００２３】
次に、携帯端末１０を持ったユーザが退室したときの処理（退室シーケンス）について、図７を参照して説明する。
いずれかの部屋に在室していたユーザが携帯端末１０を持って退室すると、前記位置検出部１２で受信していたその部屋のＩＲ発信機からの信号が受信できなくなり、携帯端末１０はユーザがその部屋から退出したことを検出する（Ｓ４１）。そして、「退室」を示す情報、ユーザを示す「個人ＩＤ」及び今まで在室していた部屋の「部屋ＩＤ」を前記ＡＶ機器管理マネージャ１に送信する（Ｓ４２）。
前記ＡＶ機器管理マネージャ１は、前記携帯端末１０からの「退室」、「個人ＩＤ」及び「部屋ＩＤ」の各情報を受信する（Ｓ５１）と、前記管理テーブル（ＡＶ機器制御・入室／退室時処理）（図４（ｃ））のそのユーザ及びその部屋についての退室処理の項を参照し、退室処理がスタンンバイに設定されているか否かを判定する（Ｓ５２）。その結果、退室処理がスタンバイ以外であるときは、ステップＳ５９に進み、その退室に関する情報を前記管理テーブル（ＡＶ機器情報）に反映する。また、そのユーザのその部屋の退室処理がスタンバイとされていたときには、今まで在室していた部屋のＡＶ機器の電源がオン状態であるか否かを判定し（Ｓ５３）、電源がオンでないときは前記ステップＳ５９に進み、前記管理テーブル（ＡＶ機器情報）を更新する。一方、ＡＶ機器の電源がオン状態であるときは、そのＡＶ機器が曲を再生中であるか否かを判定する（Ｓ５４）。
退出した部屋のＡＶ機器が曲を再生中のときは、その再生曲をフェードアウトした後、一時停止状態として（Ｓ５５）、そのユーザがその部屋を退室したことを前記管理テーブル（ＡＶ機器情報）に記録する（Ｓ５６）。
【００２４】
そして、その後、あらかじめ設定した一定時間（例えば、５分間）内に前記携帯端末１０から入室情報を受信したか否かを判定する（Ｓ５７）。誰もその部屋に入室することなく、前記一定時間が経過したときは、ステップＳ５８に進み、その部屋のＡＶ機器に対してスタンバイモードとする制御信号を送信し、そのＡＶ機器をスタンバイ状態とし（Ｓ５８）、前記ステップＳ５９に進む。なお、このＳ５９はスキップしてもよい。
一方、前記所定時間内に、携帯端末からその部屋にユーザが入室したことを示す情報の受信があったときは、前記図６に示した入室シーケンスに移行する。そして、携帯端末から受信した「個人ＩＤ」の情報から、入室したのが直前に退出したユーザと同一である場合には、前記図６のステップＳ３７の判定結果がＹＥＳとなり、一時停止中であった曲をフェードインして再生する（図６のステップＳ３８）。
【００２５】
このように、この実施例によれば、ユーザがＡＶ機器が設置されている部屋に入室するだけで、自動的にＡＶ機器の電源を投入したり、ユーザの好みの曲の再生を開始するようにすることができる。
また、ユーザがＡＶ機器が設置されている部屋から退出すると、自動的にその部屋に設置されているＡＶ機器をスタンバイ状態とし、曲が再生されていた場合には、一時停止状態とすることができる。
さらに、退室したユーザがあらかじめ設定した時間内に再入室すると、中断されていた曲の再生を自動的に再開することができる。
したがって、ユーザは電源のオンオフの操作をする必要がなく、また、ユーザが電源のオンオフ操作をし忘れても、無駄な電力消費をなくすことができる。
さらに、再生中の曲を一時停止状態とするとき、及び、一時停止中の曲を再開するときに、フェードアウト及びフェードイン処理を行うことにより、聴感上自然なものとすることができる。
【００２６】
［実施例２］
次に、本発明の第２の実施例について説明する。この実施例においては、前記ＡＶ機器が複数の曲データを蓄積しているサーバ装置から曲データの配信を受けて曲を再生するクライアント装置とされている。前述した実施例１においては、各ＡＶ機器がコンテンツを保有していたため各ＡＶ機器で再生できるコンテンツが異なり、同じ部屋での曲再生の中断（一時停止）／再開処理は可能であったが、部屋をまたいだ中断／再生処理はできなかった。これに対し、この実施例２においては、コンテンツをＡＶ機器管理マネージャが管理しているため全てのＡＶ機器で同じコンテンツを再生することができ、部屋をまたいだ中断／再生処理が可能となる。
【００２７】
この実施例においては、前記ＡＶ機器管理マネージャ１はクライアント装置である各ＡＶ機器３〜５で再生するコンテンツ（曲）の管理も行うものであり、前記図３に示した構成に加え、複数の楽曲の曲データを格納している楽曲データ格納部を備えている。また、ＡＶ機器３〜５は、自身ではコンテンツを保有せず、前記ＡＶ機器管理マネージャ１からストリーミング配信される曲データを再生するようになされている。なお、ここでは、各部屋に１台ずつＡＶ機器が設置されているものとして説明する。
また、前記ＡＶ機器管理マネージャ１は、同時に再生しているストリーム数をモニタリングし、同時再生数が管理された楽曲に対しては、所定以上の部屋数で新たな再生を許可しないように制御している。
そして、前記ＡＶ機器管理マネージャ１には、管理データとして、前記図４に示した（ａ）管理テーブル（個人情報）と（ｃ）管理テーブル（ＡＶ機器制御・入室／退室時処理）を記憶しており、さらに、図８に示すＡＶ機器管理テーブルとユーザー管理テーブルを記憶している。なお、（ｃ）管理テーブル（ＡＶ機器制御・入室／退室時処理）については、個々の部屋ごと、各個人ごとに個別に処理を設定しないのであれば、設ける必要はない。
【００２８】
図８の（ａ）は、ＡＶ機器管理テーブルの例を示す図である。ＡＶ機器管理テーブルは、各部屋に設置されているＡＶ機器が何を行っているかを記録したテーブルであり、図示するように、各部屋すなわち各ＡＶ機器ごとに、その状態、再生中の又は再生されていた曲を識別する情報（図示する例では、アルバム名とその中の順番）、その再生位置（曲の先頭からの経過時間）、及び、再生モード（リピート再生、ランダム再生の態様）が記録されている。
図８の（ｂ）は、ユーザー管理テーブルの例を示す図である。ユーザー管理テーブルは、各ユーザがどの部屋でどのような曲を再生しているかを記録したテーブルであり、図示するように、ユーザごとに、その現在位置、現在いる部屋又は直前までいた部屋のＡＶ機器の状態、その曲を識別する情報、その再生位置、及び、再生モードの各情報が記録されている。
各管理テーブルの情報は、各ＡＶ機器及び各携帯端末から定期的又は状態変化時に通知される情報により更新される。
【００２９】
このように構成された本発明の第２の実施例においてユーザが部屋を移動したときの動作について、退室シーケンスを示す図９、及び、入室シーケンスを示す図１０を参照して説明する。なお、個人認証は、前記図５に示した手順と同一の手順で済んでいるものとする。また、説明を簡略にするため、各ユーザの入室／退室時の処理は、どの部屋においても、「何もしない」に設定されているものとし、ユーザが曲の再生中に退室したときに一時停止状態を経由せずに停止状態になるものとして説明する。
図９に示す退室シーケンスにおいて、前記図７の場合と同様にユーザが退室したことを検出すると、「退室」、そのユーザの「個人ＩＤ」及び退室した部屋の「部屋ＩＤ」が前記携帯端末１０から前記ＡＶ機器管理マネージャ１に送信される（Ｓ６１，Ｓ６２）。
ＡＶ機器管理マネージャ１は、これらの情報を受信すると（Ｓ７１）、前記ユーザー管理テーブル（図８（ｂ））を参照して、ユーザが退出した部屋は再生中であったか否かを判定する（Ｓ７２）。その結果、再生中でなかったときは、ユーザがその部屋から退室したことを前記ユーザー管理テーブルに反映させる（Ｓ７４）。
一方、再生中であったときは、その曲をフェードアウトし、そのＡＶ機器を停止状態として（Ｓ７３）、前記ＡＶ機器管理テーブルと前記ユーザー管理テーブルを更新する（Ｓ７４）。すなわち、ＡＶ機器管理テーブルにおけるその部屋の状態を「停止中」とし、ユーザー管理テーブルにおけるそのユーザの現在位置を「ＯＵＴ」、状態を「退室した部屋のＩＤと中断中」に設定する。
【００３０】
ユーザがいずれかの部屋に入室したときは、図１０に示す入室シーケンスが実行される。
前述と同様にして、前記携帯端末１０がユーザがＩＲ発信機が設置されている部屋に入室したことを検出すると（Ｓ８１）、「入室」、「個人ＩＤ」及び「部屋ＩＤ」を前記ＡＶ機器管理マネージャ１に送信する（Ｓ８２）。
ＡＶ機器管理マネージャ１は、これらの情報を受信すると（Ｓ９１）、前記ユーザー管理テーブルにおけるそのユーザの状態を参照して、中断中であるか否かを判定する（Ｓ９２）。その結果、中断中でないときは、ユーザがその部屋に入室したことを前記ユーザー管理テーブルに反映させる（Ｓ９７）。一方、中断中であるときには、入室した部屋のＡＶ機器がスタンバイ状態であれば電源オン状態とし（Ｓ９３，Ｓ９４）、そのＡＶ機器が停止中であるか否かを判定する（Ｓ９５）。
その結果、ＡＶ機器が停止中のときは、中断中であった曲の再生を再開する処理を行なう。具体的には、前記ユーザー管理テーブルを参照して、そのユーザの再生モード（リピート／ランダム）を入室した部屋のＡＶ機器にセットし、中断されていた曲を記録されていた再生位置からフェードインしながら再生する。そして、ステップＳ９７に進み、管理テーブルを更新する。
一方、ＡＶ機器が停止中でないとき（すなわち、再生中のとき）は、すでに別の誰かがその部屋のＡＶ機器を使用していると判断し、再生再開処理を行うことなく、管理テーブルの更新（Ｓ９７）を行う。
【００３１】
以下、管理テーブル（すなわちＡＶ管理テーブルと前記ユーザー管理テーブル）の状態を示す図１１〜図１４を参照しつつより詳細に説明する。
（Ａ）まず、ユーザＡはROOM１にいて、ROOM１のＡＶ機器はスタンバイ状態であるとする。このときの管理テーブルは図１１に示すようになる。すなわち、ＡＶ機器管理テーブルのROOM１の欄は、スタンバイ状態であることのみが記録され、ユーザー管理テーブルのユーザＡの欄は現在位置がROOM１であることだけが記録されている。
（Ｂ）次に、ユーザＡはROOM１のＡＶ機器の電源を入れ、アルバムＡの再生を始めたとする。しばらくしてアルバムＡの１曲目の1:00の地点を再生している時の管理テーブルは図１２に示すようになる。すなわち、ＡＶ機器管理テーブルのROOM１の欄とユーザー管理テーブルのユーザＡの欄には、アルバムＡの１曲目の1:00の地点を再生中であること、および、リピート再生とランダム再生がともに「OFF」に設定されていることが記録されている。
（Ｃ）アルバムＡの２曲目の1:30の地点でユーザＡがROOM１を出て、いずれの部屋でもない場所に移動したとする。前記図９の退室シーケンスで説明したように、前記ＡＶ機器管理マネージャ１はユーザＡがROOM１を出たことを認識すると、ROOM１の再生をフェードアウト後に停止し、管理テーブルを図１３のように更新する。すなわち、ＡＶ機器管理テーブルのROOM１の欄は停止中とされ、ユーザー管理テーブルのユーザＡの欄には、現在位置が「OUT」、状態が「ROOM１中断中」であることが記録される。
（Ｄ）次に、ユーザＡがROOM３に移動したとする。前記図１０の入室シーケンスで説明したように、ＡＶ機器管理マネージャ１はユーザ管理テーブルを参照してユーザＡが先ほどまでROOM１で曲の再生を行っていたことと、今ROOM３では再生が行われていないことを確認し、ROOM１での再生の続きをROOM３で再開することを決め、再生再開処理を実行する。まず、ROOM３のリピート／ランダムを、前記ROOM１におけるリピート／ランダム設定と同じ、オフ／オフに設定する。そして、ROOM３で、アルバムＡの２曲目を1:30の地点から、フェードインしながら再生を開始する。管理テーブルは図１４のように更新される。
なお、（Ｃ）においてROOM３が再生中であった場合は、すでに別の誰かがROOM３を使用中であると判断し、再生再開処理を行わない。
【００３２】
ここで、移動後の部屋で中断していた曲をフェードインしながら再生するときに、通常再生レベルに復帰する時点を、前記移動前の部屋でフェードアウトしたときの減衰開始時点よりも遡る時点となるように設定することで、空白期間がなく、聴感上より自然な再生をすることができる。例えば、図１３，図１４に示した例のように中断時点が１分３０秒であるときには、それより前の例えば１分２７秒の時点が通常再生レベルに復帰する時点となるようにROOM３での再生を制御する。
また、前記フェードインとフェードアウトのパラメータを、ユーザの移動速度や楽曲のジャンルなどに応じて可変とすることにより、聴感上自然なつながりを保つことができる。
なお、前述した第１の実施例の場合においても、ここで説明したのと同様にフェードインとフェードアウトを制御するようにしてもよい。
【００３３】
このように、この実施例によれば、ユーザの退出により自動的に再生を一時停止することができる。そして、ユーザが別の部屋に入室することで、空白期間をつくることなく、前の部屋での再生を後の部屋に自動的に引き継ぐことができる。このとき、曲だけではなく、再生モードも自動的に引き継がれることとなる。なお、同じ部屋に再入室したときも、中断していた再生が同様に再開される。
また、ユーザの退室に対してはフェードアウト処理を行い、入室に対してはフェードイン処理を行っている。これにより、自然な聴感を与えることができる。さらに、フェードインの終了時点をフェードアウトの開始時点よりも遡った時点とすることで、より自然なつながりを持たせることができる。
さらに、同時再生数が管理された楽曲の再生の場合であっても、ユーザの退室により自動的に再生は停止され、別の部屋への入室後、新たな部屋で再生されることとなるため、前後の部屋で同時に再生されることはなく、再生する権利は自動的に受け渡されることとなる。
【００３４】
［実施例３］
次に、本発明の第３の実施例について説明する。前述した各実施例においては、指紋センサーなどの個人認証部と位置検出部を有する携帯端末１０を使用し、携帯端末１０が直接ＡＶ機器管理マネージャ１と通信していたが、この実施例では、従来技術と同様に、ＡＶ機器を制御するための赤外線送信機能を有するリモコンを用いる。そして、指紋センサーを設けるかわりに、リモコンからユーザを特定する情報をＡＶ機器に送信することで、ユーザを特定し、ＡＶ機器からＡＶ機器管理マネージャにユーザの「個人ＩＤ」と入退室情報などの情報を送信するようにしている。この実施例によれば、指紋センサーや位置検出部を有する特別な装置を使用する必要がない。ただし、ユーザは必要最小限の操作を行うことが求められる。
【００３５】
図１５は、本発明の第３の実施例の構成を示すブロック図である。この図において、前記図１と同一の構成要素には同一の番号を付して説明を省略する。なお、ここでは、各部屋にＡＶ機器が１台ずつ設置されており、部屋とＡＶ機器とは１対１に対応しているものとする。
図中、３０はＡＶ機器３〜５を制御するリモコンであり、赤外線（ＩＲ）送信部３１を内蔵している。また、このリモコン３０には、ユーザがそのＩＤを送信するための手段と、入室又は退室を通知するための手段が設けられている。
ここで、ユーザの個人ＩＤを送信するための手段としては、（１）各リモコンごとに、ユーザの個人ＩＤを固定して割り当てておき、各ユーザは自分のリモコンを使用する方法と、（２）リモコンにユーザ選択スイッチを設け、各ユーザは、該ユーザ選択スイッチにより自己のＩＤを選択する方法がある。リモコンからＡＶ機器に送信される制御信号にそのユーザの個人ＩＤが付加されて送信されるようになされており、ＡＶ機器はこれにより、ユーザを特定することができる。
【００３６】
また、ユーザの入室又は退室をＡＶ機器に判断させるためには、（１）前記リモコン３０に「入室」，「退室」ボタンを設け、ユーザは入退室時に対応するボタンを操作する方法と、（２）ユーザは部屋に入退室するときに「オン／スタンバイ」ボタンを操作する方法がある。
（１）の方法の場合、ユーザが「入室」ボタンを操作すると、「入室」のコードとユーザの個人ＩＤが前記ＩＲ送信部３１からＡＶ機器に送信される。「入室」コードを受信したＡＶ機器は、コードの付加されている「個人ＩＤ」、「入室」及び自己の「機器ＩＤ（部屋ＩＤ）」を前記ＡＶ機器管理マネージャ１にネットワーク２を介して送信する。同様に、「退室」コードを受信したときには、「個人ＩＤ」、「退室」及び「機器ＩＤ（部屋ＩＤ）」を送信する。
（２）における「オン／スタンバイ」ボタンは、リモコンに通常設けられている、ＡＶ機器の電源オン状態とスタンバイ状態とを切り替えるスイッチである。ＡＶ機器は、スタンバイ中に「オン／スタンバイ」のリモコンコードを受信すると「入室」と判断し、電源オン中に受信すると「退室」と判断する。そして、（１）の場合と同様に、「入室／退室」、「個人ＩＤ」及び「機器ＩＤ（部屋ＩＤ）」をＡＶ機器管理マネージャ１に送信する。
【００３７】
このように、ＡＶ機器３〜５がユーザの入退室を検出すると、該検出された入退室情報は前記ネットワーク２を介して前記ＡＶ機器管理マネージャ１に通知される。ＡＶ機器管理マネージャ１は、入退室情報を受信し、前述した第１実施例又は第２の実施例と同様の処理を行う。
図１６と図１７は、前記携帯端末１０の代わりにリモコン３０を用いて前述した第１の実施例と同様の処理を行わせる場合の処理の流れを示すフローチャートであり、図１６は入室シーケンス、図１７は退室シーケンスである。
図１６と前記第１の実施例における入室シーケンス（図６）とを比較すると、図１６の破線で囲んだ部分（ステップＳ１０１，Ｓ１０２）に示すように、ＡＶ機器から「入室」、「個人ＩＤ」及び「部屋ＩＤ」がＡＶ機器管理マネージャに送信されている点で異なっているのみである。
また、図１７と前記第１の実施例における退室シーケンス（図７）とを比較すると、図１７の破線で囲んだ部分（ステップＳ１２１，Ｓ１２２）に示すように、ＡＶ機器から「退室」、「個人ＩＤ」及び「部屋ＩＤ」がＡＶ機器管理マネージャ１に送信されている点で異なっているのみである。
このように、ユーザの個人ＩＤを送信する機能を有するリモコンを用いることでも、前述した第１の実施例と同様の処理を行わせることができる。
【００３８】
また、ＡＶ機器が複数の曲データを蓄積しているサーバ装置から曲データの配信を受けて曲を再生するクライアント装置である場合には、ＡＶ機器からユーザの個人ＩＤと入退室情報をＡＶ機器管理マネージャに送信させるようにすることで、前述した第２の実施例と同様の処理を行わせることができる。この場合には、前記図９の退室シーケンスのステップＳ６１とＳ６２を前記図１７におけるＡＶ機器によるステップＳ１２１とＳ１２２とし、前記図１０の入室シーケンスのステップＳ８１とＳ８２を前記図１６におけるステップＳ１０１とＳ１０２に置き換えれば良い。
このように、この実施例によれば、ＩＲ送信機能を有するリモコンを用い、ユーザに必要最小限の操作をさせるのみで前述した第１の実施例及び第２の実施例と同様の動作をさせることができる。
【００３９】
なお、上述した各実施例においては、オーディオデータの再生の一時停止／再開について説明したが、映像情報をストリーミング配信する場合にも、適用することができる。
【図面の簡単な説明】
【００４０】
【図１】本発明のＡＶシステムの全体構成を示すブロック図である。
【図２】携帯端末１０の構成を示すブロック図である。
【図３】ＡＶ機器管理マネージャ１の要部構成を示すブロック図である。
【図４】管理テーブルの例を示す図であり、（ａ）は個人情報、（ｂ）はＡＶ機器情報、（ｃ）はＡＶ機器制御・入室／退室時処理の各管理テーブルを示す図である。
【図５】個人認証シーケンスを示す図である。
【図６】第１の実施例における入室シーケンスを示す図である。
【図７】第１の実施例における退室シーケンスを示す図である。
【図８】第２の実施例における管理テーブルの例を示す図であり、（ａ）はＡＶ機器管理テーブル、（ｂ）はユーザー管理テーブルを示す図である。
【図９】第２の実施例における退室シーケンスを示す図である。
【図１０】第２の実施例における入室シーケンスを示す図である。
【図１１】管理テーブルの例を示す図である。
【図１２】図１１の後に更新された管理テーブルを示す図である。
【図１３】図１２の後に更新された管理テーブルを示す図である。
【図１４】図１３の後に更新された管理テーブルを示す図である。
【図１５】本発明の第３の実施例の構成を示すブロック図である。
【図１６】第３の実施例における入室シーケンスを示す図である。
【図１７】第３の実施例における退室シーケンスを示す図である。
【図１８】従来のオーディオ配信システムの構成例を示すブロック図である。
【図１９】図１８のシステムにおける状態管理テーブルの一例を示す図である。
【符号の説明】
【００４１】
１：ＡＶ機器管理マネージャ、２：ネットワーク、３，４，５：ＡＶ機器、６，７，８：赤外線発振器、１０：携帯端末、１１：中央制御部、１２：位置検出部、１３：個人認証部、１４：メモリ、１５：表示部、１６：入力部、１７：音楽再生部、１８：無線通信部。１９：赤外線送信部、２１：中央制御部、２２：メモリ、２３：ネットワークインターフェース部、２４：無線通信部、３０：リモコン、３１：赤外線送信部
【図１】
2005175660.tif 000003
【図２】
2005175660.tif 000004
【図３】
2005175660.tif 000005
【図４】
2005175660.tif 000006
【図５】
2005175660.tif 000007
【図６】
2005175660.tif 000008
【図７】
2005175660.tif 000009
【図８】
2005175660.tif 000010
【図９】
2005175660.tif 000011
【図１０】
2005175660.tif 000012
【図１１】
2005175660.tif 000013
【図１２】
2005175660.tif 000014
【図１３】
2005175660.tif 000015
【図１４】
2005175660.tif 000016
【図１５】
2005175660.tif 000017
【図１６】
2005175660.tif 000018
【図１７】
2005175660.tif 000019
【図１８】
2005175660.tif 000020
【図１９】
2005175660.tif 000021